(57)【要約】本発明にかかる椅子型マッサージ装置は、使用者の邪魔にならず使い勝手のよいリモコン載置台を有するものである。椅子型マッサージ装置は、座部２と、背もたれ部４と、この背もたれ部４に備えられたマッサージ機構１８と、座部２の左右両側に設けられたアームレスト部６と、前記マッサージ機構１８を操作可能なリモコン２６と、このリモコン２６を載置可能であり且つアームレスト部６に支持部材２８を介して取り付けられている載置台２７と、この載置台２７が空洞部１５内に位置する収納姿勢Ａと載置台２７が空洞部１５から左右方向外側且つ前方に突出する使用姿勢Ｂとに変更自在となるように支持部材２８を案内するガイド機構３０とを有している。
2005011558.tif 000002
【特許請求の範囲】
【請求項１】
座部と、
座部の後部に設けられた背もたれ部と、
この背もたれ部に備えられたマッサージ機構と、
前記座部の左右両側に配置されると共に、腕部を載置可能なレスト面が形成され、このレスト面の下方に左右方向に開放された空洞部を有するアームレスト部と、
前記マッサージ機構を遠隔操作可能なリモコンと、
このリモコンを載置可能であり且つ前記アームレスト部に支持部材を介して取り付けられている載置台と、
前記載置台が空洞部内に位置する収納姿勢と、載置台が空洞部から左右方向外側且つ前方に突出する使用姿勢とに変更自在となるように、前記支持部材を案内するガイド機構とを有していることを特徴とする椅子型マッサージ装置。
【請求項２】
前記収納姿勢における載置台は水平方向を向いており、使用姿勢にある載置台は外側斜め上方を向いていることを特徴とする請求項１に記載の椅子型マッサージ装置。
【請求項３】
前記支持部材の前端は載置台に連結されると共に、支持部材の後端はアームレスト部に旋回自在にピボット枢支されており、
前記ガイド機構には、当該支持部材を斜め上方に案内する第１案内手段と、支持部材をその軸芯回りに捩りつつ外側方向に案内する第２案内手段と、が備えられていることを特徴とする請求項２に記載の椅子型マッサージ装置。
【請求項４】
前記ガイド機構は、支持部材を上方へ付勢する付勢手段を備えていることを特徴とする請求項３に記載の椅子型マッサージ装置。
【請求項５】
前記第１案内手段は、アームレスト部の後部でレスト面の下方に設けられたケーシングと、
このケーシングに、前記支持部材が摺動自在に貫通すると共に、左右方向外側へいくに従って上方側を向くような傾斜状に形成された第１案内溝と、
を有していることを特徴とする請求項３に記載の椅子型マッサージ装置。
【請求項６】
前記支持部材の後端には球状の球部材が設けられると共に、アームレスト部の後部且つレスト面の下方に円筒状の円筒部材が連結され、前記円筒部材の内側に球部材が回動自在に嵌り込むことで、支持部材はアームレスト部に旋回自在にピボット枢支されており、
前記第２案内手段は、後方へいくに従って左右方向内側から外側に向かう傾斜状に前記円筒部材に形成された第２案内溝と、この第２案内溝に摺動自在に貫通するように前記球部材に突設された係合ピンと、を有することを特徴とする請求項３に記載の椅子型マッサージ装置。
【請求項７】
前記付勢手段は、一端が前記支持部材の後部に連結され、他端がアームレスト部側に連結されているバネ体からなることを特徴とする請求項４に記載の椅子型マッサージ装置。
【請求項８】
前記支持部材の前端は設置台の後端部に固定されると共に、支持部材の後端はアームレスト部の後部でレスト面の下方にピボット枢支され、前記収納姿勢における当該支持部材及び載置台は、アームレスト部に左右方向に開放された空洞部内に納まっていることを特徴とする請求項１又は２に記載の椅子型マッサージ装置。
【請求項９】
前記座部の前部には使用者の下肢を載置可能なフットレストが設けられ、
このフットレストの内部には、下肢をマッサージすることが可能な下肢用マッサージ機構が設けられていることを特徴とする１〜８のいずれかに記載の椅子型マッサージ装置。
【発明の詳細な説明】
【技術分野】  本発明は、椅子型マッサージ装置、詳しくは、リモコン載置台を有する椅子型マッサージ装置に関するものである。
【背景技術】  従来から、椅子型マッサージ装置にはリモコン（ハンディ型のコントローラ）を有するものがあり、このリモコンを使用することで、マッサージ動作の開始、停止、切換等の操作を遠隔で行うようにしていた。
前記リモコンを使用しないときには、椅子型マッサージ装置本体の側部等に備えられた収納ポケットに収納しておくことが一般的であった。また、リモコンを使用する際には、使用者が手に携えながらマッサージを受けるということが一般的であった。
このようにリモコンを、未使用時には収納ポケットに入れておき、使用するたびに取り出した上で、携帯することは使用者にとっては非常に煩わしいものとなっていた。
このような取り扱い上の難点を克服するものとして、ＪＰ特開２００１−３２７５６６号公報に記載された技術が開示されている。
この技術では、屈曲自在なる支持アームの基端側がアームレスト部の下部に固定されると共に、先端部にリモコン載置台（リモコンホルダ）が設けられており、支持アームが斜め上方に屈曲する形状であるため、使用者の斜め前方にリモコンホルダが常に位置するものとなっている。従って、前記リモコン載置台にリモコンを載置することで収納可能であると共に、使用時にもその位置でリモコンを操作することができるものとなっている。
しかしながら、アームレスト部の斜め上方に常にリモコンが配置されているため、使用者が当該椅子型マッサージ装置に座るときや離れるとに、このリモコン載置台及びリモコン本体が邪魔となることがしばしばあった。
多くの場合、使用者はリモコン載置台を手で側方に押しやりつつ椅子型マッサージ装置に着座・離座するなどしていた。
そこで、本発明は、上記問題点に鑑み、使用者の邪魔にならず使い勝手のよいリモコン載置台を有する椅子型マッサージ装置を提供することを目的とするものである。
【発明の開示】
前記目的を達成するため、本発明においては以下の技術的手段を講じた。
すなわち、本発明における課題解決のための技術的手段は、座部と、座部の後部に設けられた背もたれ部と、この背もたれ部に備えられたマッサージ機構と、前記座部の左右両側に配置されると共に、腕部を載置可能なレスト面が形成され、このレスト面の下方に左右方向に開放された空洞部を有するアームレスト部と、前記マッサージ機構を遠隔操作可能なリモコンと、このリモコンを載置可能であり且つ前記アームレスト部に支持部材を介して取り付けられている載置台と、前記載置台が空洞部内に位置する収納姿勢と、載置台が空洞部から左右方向外側且つ前方に突出する使用姿勢とに変更自在となるように、前記支持部材を案内するガイド機構とを有していることを特徴とする。
この技術的手段によれば、ガイド機構で支持部材を収納姿勢に案内することで、載置台を空洞部内に収納することができるようになる。また、ガイド機構で支持部材を使用姿勢に案内することによって、載置台を空洞部から左右方向外側に突出させることができ、使用者は載置台に配置されたリモコンを容易に使用可能となる。
なお、好ましくは、前記収納姿勢における載置台は水平方向を向いており、使用姿勢にある載置台は外側斜め上方を向いているとよい。
また、本発明における課題解決のための技術的手段は、前記支持部材の前端は載置台に連結されると共に、支持部材の後端はアームレスト部に旋回自在にピボット枢支されており、前記ガイド機構には、当該支持部材を斜め上方に案内する第１案内手段と、支持部材をその軸芯回りに捩りつつ外側方向に案内する第２案内手段と、が備えられていることを特徴とする。
この技術的手段によれば、ガイド機構の第１案内手段によって、ピボット枢支された支持部材を斜め上方に案内することができ、同時にガイド機構の第２案内手段によって、支持部材をその軸芯回りに捩りつつ外側方向に案内できる。この第１案内手段及び第２案内手段により載置台の姿勢切替が可能となる。
また、本発明における課題解決のための技術的手段は、前記ガイド機構は、支持部材を上方へ付勢する付勢手段を備えていることを特徴とする。
この技術的手段によれば、支持部材は付勢手段により常に上方へ引き上げられるような状態にあり、載置台の収納姿勢から使用姿勢への切替がスムーズに行われるようになる。
また、本発明における課題解決のための技術的手段は、前記第１案内手段は、アームレスト部の後部でレスト面の下方に設けられたケーシングと、このケーシングに、前記支持部材が摺動自在に貫通すると共に左右方向外側へいくに従って上方側を向くような傾斜状に形成された第１案内溝とを有していることを特徴とする。
この技術的手段によれば、ケーシング上に形成された傾斜状の第１案内溝を支持部材が摺動することにより、支持部材は左右方向外側へいくに従って上方側を向くようになる。
また、本発明における課題解決のための技術的手段は、前記支持部材の後端には球状の球部材が設けられると共に、アームレスト部の後部且つレスト面の下方に円筒状の円筒部材が連結され、前記円筒部材の内側に球部材が回動自在に嵌り込むことで、支持部材はアームレスト部に旋回自在にピボット枢支されており、
前記第２案内手段は、後方へいくに従って左右方向内側から外側に向かう傾斜状に前記円筒部材に形成された第２案内溝と、この第２案内溝に摺動自在に貫通するように前記球部材に突設された係合ピンと、を有することを特徴とする。
この技術的手段によれば、円筒部材に形成された傾斜状の第２案内溝を、球状部材に形成された係合ピンが摺動することにより、支持部材は捩られつつ左右方向内側から外側に向くようになる。
また、本発明における課題解決のための技術的手段は、前記付勢手段は、一端が前記支持部材の後部に連結され、他端がアームレスト部側に連結されているバネ体からなることを特徴とする。
この技術的手段によれば、バネ体により支持部材は自動的に上方へ引き上げられるようになる。
また、本発明における課題解決のための技術的手段は、前記支持部材の前端は設置台の後端部に固定されると共に、支持部材の後端はアームレスト部の後部でレスト面の下方にピボット枢支され、前記収納姿勢における当該支持部材及び載置台は、アームレスト部に左右方向に開放された空洞部内に納まっていることを特徴とする。
この技術的手段によれば、収納姿勢において、載置台が左右方向外側に突出することなく、確実に空洞内に納まるようになる。
また、本発明における課題解決のための技術的手段は、前記座部の前部には使用者の下肢を載置可能なフットレストが設けられ、このフットレストの内部には、下肢をマッサージすることが可能な下肢用マッサージ機構が設けられていることを特徴とする。
この技術的手段によれば、フットレストの内部に設けられた下肢用マッサージ機構により、使用者の下肢をマッサージすることが可能となる。
【図面の簡単な説明】    図１は、本発明に係る椅子型マッサージ装置の斜視図である。
図２は、アームレスト部の拡大斜視図である。
図３は、載置台を使用姿勢にしたときの正面斜視図である。
図４は、ガイド機構の第１斜視図である。
図５は、ガイド機構の第２斜視図である。
【発明を実施するための最良の形態】  以下、本発明にかかる椅子型マッサージ装置について、図を基に説明する。
図１に示すように、椅子型マッサージ装置１は、座部２と、この座部２を所定の高さに支持する左右一対の脚部３とを有しており、座部２の後部には背もたれ部４が設けられている。
座部２の前部には、使用者の下肢、特に下腿部を下側から支持する等の役目を有するフットレスト５が備えられ、座部２の両側には上肢（腕）を載置可能なアームレスト部６が設けられている。
なお、説明において、前後方向、左右方向（幅方向）、上下方向は当該椅子型マッサージ装置１に座った使用者から見たものである。
図１に示すように、椅子型マッサージ装置１は、前後に延びる左右一対の脚部材７を有し、この脚部材７が床面上に載置されている。脚部材７の略中央部から上方へは支持部材８が立設されると共に、脚部材７の略中央部は幅方向を向く連結部材９で互いに連結されて脚部３が形成されている。
この脚部３の上端側であって、座部２の左右両側には、アームレスト部６が設けられている。このアームレスト部６は、支持部材８に固定されて上方に突出する前脚部１３Ｆ及び後脚部１３Ｒと、両脚部１３Ｆ，１３Ｒの上端に固定されて前後方向に延びる板状の肘掛け部１４とから構成されており、肘掛け部１４を前脚部１３Ｆ及び後脚部１３Ｒに固定することによりアームレスト部６に左右方向に開放された空洞部１５が形成されている。この肘掛け部１４の上面は、腕部を載置可能なレスト面１０とされている。
支持部材８の上端且つ幅方向内側には、略水平に縦基枠１７が前後方向に取り付けられており、この縦基枠１７には、その前後方向中央部と後側とに横基枠（図示せず）が幅方向へ架け渡されることで、座部基枠が構成されている。
この座部基枠の上には、使用者の臀部と左右一対の大腿部とを載置可能なクッション部材が配置され、座部２が構成されている。このクッション部材は平面視略矩形であり、使用者が快適に座れるような適度な弾力性を有するものとなっている。
椅子型マッサージ装置１の背もたれ部４は、その下端部と座部２の後部とが揺動自在に枢支されており、リクライニング機構（図示せず）によって、前後方向へ起伏揺動自在すなわちリクライニング可能となっている。背もたれ部４の内部には、揉み又は叩きマッサージ等を行うマッサージ機構１８が上下移動自在に内蔵されている。
このマッサージ機構１８には、ローラ、指圧突起、複数（例えば左右２つづつ）の患部押圧体１９等を機械的に運動させる構成や、空気袋を空気の給排により膨張収縮させる構成等が採用できる。
図示はしないものの、好ましくは、前記マッサージ機構１８は、左右方向に架設された回転軸と、この回転軸の回転に伴って一端部及び他端部が左右方向において互いに逆向きに揺動するように当該回転軸に連動連結されている左右一対の揺動アームとを備えるものとし、この揺動アームの一端及び他端には揉み玉が設けられる構成を有するとよい。
また、マッサージ機構１８を上下に移動させるためのガイドレール２０は、人体の背骨のカーブに対応する側面視略Ｓ字形の曲線状であることが好ましい。これにより、背部に前述の揉み玉がよりフィットするようになり、マッサージ効果を高めることが可能となる。
左右一対の縦基枠１７の前部からは、保持部材２１が前方に突出している。この保持部材２１は、図１に示すように、側面視紡錘形で、その上端が、縦基枠１７の前部に支軸回りに揺動自在に枢支され、上下方向に揺動可能となっている。
この保持部材１７の下端側には、フットレスト５が幅方向軸心周りに回動自在に取り付けられており、フットレスト５の一方面（表面）は、下腿部を嵌め込んで保持する保持溝が２２形成されている。また、保持溝２２の対向面には、挟み込まれた下腿部に揉みマッサージを行う下腿部マッサージ機構２３が内蔵されている。
下腿部マッサージ機構２３としては、下腿部の長さ方向に長い板材を左右に揺動させることによって揉みを施す構成としたり、空気の給排によって膨張収縮する空気袋で揉みを施す構成とすることもできる。
好ましくは、相対向する下腿部の長さ方向に長い板材よりなる左右一対のマッサージ体２４を有する揉み手段と、マッサージ体２４をその長手方向が互いに逆向きに傾斜した状態で接近離反させ、下腿部の長さ方向に対する傾斜度合いを変化させる駆動手段とを備えてなる下腿用マッサージ機２３を内臓するとよい。
また、保持溝２２の底部にも別のマッサージ機構、例えば、振動マッサージ機構を設け、下腿部の下面をマッサージするようにしてもよい。
フットレスト５の他方面（裏面）は、略平坦な下腿部載置面となっており、フットレスト５を反転してこの面を前面に向けることにより足先や下腿部を載せることができる。この下肢部載置面は全体として足の動きが制限されないような形状、例えば、緩やかに弯曲する円弧面や緩やかな波形状等であればよい。下肢部載置面の内側には、クッション等の緩衝部材を内蔵することが好ましい。
椅子型マッサージ装置１は、リモコン２６（遠隔操作部）を有しており、このリモコン２６は、マッサージ機構１８や下腿用マッサージ機構２３、リクライニング機構等と信号線（図示せず）で接続されている。
リモコン２６は、手で保持可能な大きさの略長方形の形状を有するものであり、上面側に、例えば、マッサージ機構１８のオン・オフや強弱調整、下腿用マッサージ機構２３のオン・オフや強弱調整、背もたれ部４のリクライニング角度調整等のボタンを備えている。これらのボタンを操作して、その操作信号を前記信号線を介して送り、各機構を制御するようにしている。
なお、このリモコン２６とマッサージ機本体とは、無線で信号をやりとりするようなものであってもよい。
椅子型マッサージ装置１の左側部、詳しくは、左側アームレスト部６には、リモコン２６を載置可能なリモコン載置台（載置台）２７が、支持部材２８を介して取り付けられている。
このリモコン載置台２７は、平面視略長方形状をしており、上面部にはリモコン２６が嵌り込む凹部が形成されている。リモコン２６の下側約半分が前記凹部に嵌り込むようになっており、リモコン２６の上半分はリモコン載置台２７から突出するような形になっている。
リモコン載置台２７の凹部及びリモコン２６の裏面には、磁性体からなるマグネット部材が設けられており、このマグネット部材同士の磁着力によってリモコン２６はリモコン載置台２７に着脱自在に載置可能となっている。
前記リモコン載置台２７は、支持部材２８を介してアームレスト部６に取り付けられている。すなわち、当該支持部材２８は、棒状に形成されており、その前端（先端）はリモコン設置台２７の後端部に固定され、後端（基端）はアームレスト部６の後部であってレスト面１０の下方側、すなわち、肘掛け部１４の下面に旋回自在にピボット枢支されている。
図２〜図５に示される如く、ピボット枢支されている部位の近傍には、支持部材２８の移動を案内するガイド機構３０が備えられている。このガイド機構３０は、
（Ａ）リモコン載置台２７をアームレスト部６の空洞部１５内に略水平方向に位置させて、肘掛け部１４の下方側に収納する収納姿勢、
（Ｂ）リモコン設置台２７を空洞部１５から、前方向きで左右方向外側且つ斜め上方に突出させた使用姿勢、
とに姿勢変更するように支持部材２８を案内させるものである
このガイド機構３０には、当該支持部材２８を斜め上方に案内する第１案内手段３１と、支持部材２８をその軸芯回りに捩りつつ外側方向に案内する第２案内手段３３とが備えられている。
詳しくは、図４、図５に示すように、支持部材２８の後端は、肘掛け部１４の下部側に設けられた矩形状のケーシング３５内に挿入されている。
ケーシング３５の後部には、円筒状の円筒部材３６が設けられ、この円筒部材３６の内部には、円筒部材３６の内壁を摺動する球状の球部材３７が設けられている。円筒部材３６の後側には側壁４５が固定されている。
支持部材２８の後端は、球部材３７に連結されて、左右方向、上下方向に旋回自在にピボット枢支されるものとなっている。
前記第１案内手段３１は、前記ケーシング３５と、このケーシング３５に、前記支持部材２８が摺動自在に貫通すると共に、左右方向外側へいくに従って上方側を向くような傾斜状に形成された第１案内溝３８とから構成されている。
すなわち、ケーシング３５の前側壁には、支持部材２８が挿通される第１案内溝３８が形成されており、この第１案内溝３８は、左右方向内側から外側にかけて徐々に斜め上方側に向かうように傾斜状に形成されている。また、第１案内溝３８の左右方向内側には、上方に屈曲する係合部３９が形成されるものとなっている。
一方、前記第２案内手段３３は、後方へいくに従って左右方向内側から外側に向かう傾斜状に前記円筒部材３６に形成された第２案内溝４１と、この第２案内溝４１に摺動自在に貫通するように前記球部材３７に突設された係合ピン４０とを有している。
すなわち、円筒部材３６の周方向側壁４６には、球部材３７に設けた係合ピン４０が挿通される第２案内溝４１が設けられており、この第２案内溝４１は、前後方向で前側から後側にいくに従って左右方向内側から外側に向かうように傾斜状に形成されている。
支持部材２８が第１案内溝３８の左右方向内側にあるとき、球部材３７に設けた係合ピン４０は第２案内溝４１の前側に位置し、支持部材２８が第１案内溝３８の左右方向外側にあるとき、第２案内溝４１の後側に位置するようになっている。
この係合ピン４０は、支持部材２８の上下移動に伴って第２案内溝４１を前後方向に移動する。
例えば、第１案内溝３８の左右方向内側にある支持部材２８を、第１案内溝３８の左右方向外側に移動させたとき、第２案内溝４１の前側にある係合ピン４０は、第２案内溝４１の後側に移動する。この際、第２案内溝４１は左右方向に傾斜しているので、左右方向にも移動し、この係合ピン４０の左右方向の移動によって、球部材３７は周方向（ねじり方向）に所定の範囲で回動可能となり、この球部材３７の周方向の回動で支持部材２８を軸心方向に捩ることができる。
第１案内手段３１のガイドと、第２案内手段３３のガイドとが同時に支持部材２８に作用するため、収納姿勢Ａにあるリモコン載置台２７は、捩り運動をしながら左右方向外側向きとなり、使用姿勢Ｂとなる。
また、ガイド機構３０には、支持部材２８を上方へ付勢する付勢手段３２を備えている。
この付勢手段３２は、ケーシング３５の上端に左右方向に突出するように設けられた係合棒４２と、この係合棒４２及び支持部材２８の後部の間に設けられたスプリング等のバネ体４３とで構成されている。このバネ体４３は、支持部材２８を常に上方へ引き上げるように作用している。
以下、本実施形態におけるリモコン載置台２７の作動態様を説明する。
リモコン載置台２７が収納姿勢Ａであるとき、リモコン載置台２７は空洞部１５内に配置され、リモコン載置台２７に置かれたリモコン２６の操作部４４（操作面）は、アームレスト部６のレスト面１０と対面している。この状態においては、支持部材２８が第１案内溝３８の係合部３９に係合しているため、支持部材２８は一時的なロック状態となっている。
かかるリモコン載置台２７に下向きに力を加えつつ左右方向外側向きに少しだけうごかすと、支持部材２８のロック状態が解除される。その後、バネ体４３の付勢力により引っ張られて、支持部材２８は第１案内溝３８を上方へ摺動して、第１案内溝３８の左右方向外側に位置するようになり、先端に取り付けられているリモコン載台２７も、アームレスト部６の左右方向外側に突出するようになる。
同時に、係合ピン４０が第２案内溝４１を左右方向外側から左右方向内側方向に移動することで、球部材３７が周方向に回動し、リモコン載置台２７に載置されたリモコン２６は、左右方向内側に向くようにねじれながら外方に突出して、使用姿勢Ｂとなる。
このように、リモコン載置台２７をねじりながら使用姿勢Ｂにすることで、リモコン２６の操作部４４が使用者側に向き、操作部４４が座部２に座っている使用者側から見やすくなる。座った状態のままリモコン載置台２７からリモコン２６を着脱できるようになる。
なお、第２案内溝４０は、前後方向にも延びるように形成されているので、支持部材２８を捩るだけでなく上下方向へも移動させることができる。
逆に、使用状態Ｂにあるリモコン載台２７を、使用者がバネ体４３の付勢力に抗する力で左右方向内側に移動させると、支持部材２８は第１案内溝３８に沿って左右方向内側まで移動し、第１案内溝３８の係合部３９に支持部材２８が係合するようになる。
この状態になると、支持部材２８は再度前記ロック状態になると共に、リモコン載台２７は収納姿勢Ａとなる。この姿勢では、リモコン２６が載置されたリモコン載置台２７は、アームレスト部６から左右方向外側へ突出しないように空洞部１５内に納まるものとなっている。
以上述べた作動態様を利用することで、リモコン２６を使用しない場合は、リモコン２６をリモコン載置台２７に載置して、このリモコン載置台２７を収納姿勢Ａにすれば、使用者が座部２に着席するときなど邪魔にならない。
また、収納姿勢にあるリモコン２６を使用する場合は、支持部材２８又は、リモコン載置台２７を左右方向外側に押して支持部材２８のロックを解除し、リモコン載置台２７を収納姿勢Ａから使用姿勢Ｂに切り換えることによって、リモコン２６を取りやすい位置に持ってくることができるようになる。
なお、本実施形態にかかる椅子型マッサージ装置１は、上記実施の形態に限定されるものではない。
すなわち、椅子型マッサージ装置１は、フットレスト５が装着されているが、このフットレスト５は装着されていなくてもよい。
また、上記実施形態では、手動で支持部材２８のロックを解除することによって収納姿勢Ａであるリモコン載置台２７を使用姿勢Ｂにしていたが、自動で行うようにしてもよい。
また、ガイド機構３０は、収納姿勢Ａにあるリモコン載置台２７を水平方向のみ、即ち、上下方向に動かすことなく左右方向にだけ動かして使用姿勢Ｂにしてもよい。
また、ケーシング３５に第１案内溝３１を設けずに、円筒部材３６に支持部材２８の移動を左右方向、上下方向、ねじり方向に案内する複数の第２案内溝を設け、リモコン載置台２７を収納姿勢Ａ及び使用姿勢Ｂに姿勢変更するようにしてもよい。
また、リモコン載置台２７が収納姿勢Ａであるとき、略水平方向を向くようにしているが、収納姿勢Ａのときにリモコン載置台２７が前上がりとなる状態であってもよい。
また、リモコン載置台２７をリモコン２６とほぼ同一の大きさとし、リモコン載置台２７の凹部にリモコン２６全体が嵌り込むようにしてもよい。こうすることで、リモコン２６がリモコン載置台２７に確実に載置できるようになる。
【産業上の利用可能性】  本発明は、椅子型マッサージ装置のリモコンを載置可能なリモコン載置台に適用することが可能であり、ソファーや車両の座席等のマッサージ機能を有しない椅子にも適用可能である。この場合のリモコンは、例えばリクライニング操作の指示を行うものである。
【図１】
2005011558.tif 000003
【図２】
2005011558.tif 000004
【図３】
2005011558.tif 000005
【図４】
2005011558.tif 000006
【図５】
2005011558.tif 000007
【国際調査報告】
2005011558.tif 000008
2005011558.tif 000009
2005011558.tif 000010
2005011558.tif 000011